(57)【要約】【課題】貯湯手段の上部蓋に水滴が付着しにくく、見栄えの良いコーヒー沸かし器を提供する。【解決手段】水容器２と、前記水容器２から供給される水を加熱して湯を供給する加熱手段３と、前記加熱手段３から供給される湯を貯えてサイフォン手段６を用いて間欠的に給湯する貯湯手段４とを備え、前記貯湯手段４の上部蓋５の内面に凹凸加工９を施したもので、上部蓋５の内面に付着する水滴を凹凸で壊して流すことで、水滴の発生を抑え、使用中や使用後に上部蓋５に水滴が付着するのを抑え、見栄えの良いコーヒー沸かし器を提供することができる。【選択図】図１
2007307029.tif 000002
【特許請求の範囲】
【請求項１】
水容器と、前記水容器から供給される水を加熱して湯を供給する加熱手段と、前記加熱手段から供給される湯を貯えてサイフォン手段を用いて間欠的に給湯する貯湯手段とを備え、前記貯湯手段の上部蓋の内面に凹凸加工を施した事を特徴とするコーヒー沸かし器。
【請求項２】
上部蓋の内面に放射状の溝を設けたことを特徴とする請求項１に記載のコーヒー沸かし器。
【請求項３】
上部蓋の内面に角錐状の凸部を設けた事を特徴とする請求項１に記載のコーヒー沸かし器。
【請求項４】
上部蓋の内面にランダムなエンボス加工を施した請求項１に記載のコーヒー沸かし器。
【請求項５】
上部蓋の内面に親水処理を施した事を特徴とする請求項１〜４のいずれか１項に記載のコーヒー沸かし器。
【発明の詳細な説明】
【技術分野】
【０００１】
本発明は、コーヒー粉に、加熱手段で得られた湯を供給することによりコーヒー液を抽出するコーヒー沸かし器に関するものである。
【背景技術】
【０００２】
従来の、この種のコーヒー沸かし器で、特に、サイフォン手段により間欠的に湯を供給するようにしたコーヒー沸かし器では、サイフォン手段により間欠的に湯を供給するには、貯湯手段の湯がサイフォン手段を構成する蓋体を越える水位まで加熱手段により一定量の給湯をする必要があり、貯湯手段は、使用者の安全のため半密閉状態に構成されていた（例えば、特許文献１参照）。
【０００３】
図５は、上記特許文献１に記載された従来のコーヒー沸かし器の断面図である。
【０００４】
図５に示すように、従来のコーヒー沸かし器は、本体１と、水容器２と、加熱手段３と、貯湯手段４と、貯湯手段４の上部蓋５と、サイフォン手段６と、コーヒー抽出室７と、コーヒー保管容器８により構成されている。
【特許文献１】特開２００４−１１３８１６号公報
【発明の開示】
【発明が解決しようとする課題】
【０００５】
しかしながら、前記従来のコーヒー沸かし器の構成では、貯湯手段４の上部蓋５の内面は、貯湯手段４に貯まる湯や加熱手段３から発生する水蒸気により曇り、結露が水滴となって貯まりやすく、使用中にサイフォン手段６の中が見えず、又、使用後にも付着する水滴で見栄えが悪いという課題があった。
【０００６】
本発明は、前記従来の課題を解決するもので、貯湯手段の上部蓋の内面に水滴が付着するのを抑えて、使用中や使用後にも見栄えの良いコーヒー沸かし器を提供することを目的とする。
【課題を解決するための手段】
【０００７】
前記従来の課題を解決するため、本発明のコーヒー沸かし器は、水容器と、前記水容器から供給される水を加熱して湯を供給する加熱手段と、前記加熱手段から供給される湯を貯えてサイフォン手段を用いて間欠的に給湯する貯湯手段とを備え、前記貯湯手段の上部蓋の内面に凹凸加工を施したもので、上部蓋の内面に付着する水滴を凹凸で壊して流すことで、水滴の発生を抑え、使用中や使用後に上部蓋に水滴が付着するのを抑え、見栄えの良いコーヒー沸かし器を提供することができる。
【発明の効果】
【０００８】
本発明のコーヒー沸かし器は、使用中や使用後に貯湯手段の上部蓋に水滴が付着しないので、見栄えが良い。
【発明を実施するための最良の形態】
【０００９】
第１の発明は、水容器と、前記水容器から供給される水を加熱して湯を供給する加熱手段と、前記加熱手段から供給される湯を貯えてサイフォン手段を用いて間欠的に給湯する貯湯手段とを備え、前記貯湯手段の上部蓋の内面に凹凸加工を施したもので、上部蓋の内面に付着する水滴を凹凸で壊して流すことで、水滴の発生を抑え、使用中や使用後に上部蓋に水滴が付着するのを抑え、見栄えの良いコーヒー沸かし器を提供することができる。
【００１０】
第２の発明は、特に、第１の発明の上部蓋の内面に放射状の溝を設けたもので、水滴や壊れた水滴の水が、上部蓋の内面から下方に流れやすくなり、貯湯手段の上部蓋に水滴が付着するのをより抑えることができる。
【００１１】
第３の発明は、特に、第１の発明の上部蓋の内面に角錐状の凸部を設けたもので、貯湯手段の上部蓋の内面に付着する水滴を凸部が壊して流すことで、水滴の発生を抑えることができる。
【００１２】
第４の発明は、特に、第１の発明の上部蓋の内面にランダムなエンボス加工を施したもので、万一水滴が残った場合でも、エンボス加工のため貯湯手段の上部蓋に水滴が付着したのを判らなくさせることができる。
【００１３】
第５の発明は、特に、第１〜４のいずれか一つの発明の上部蓋の内面に親水処理を施したもので、親水処理により水が広がろうとするので、水滴が形成されるのをより確実に防ぐことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるコーヒー沸かし器の断面図である。
【００１６】
図１において、１はコーヒー沸かし器の本体で、水を投入するための水容器２が設置されている。水容器１の底には逆止弁１０があり、これは、本体１下部の電気ヒーター等からなる加熱手段３、加熱された水を本体１の上方に導く昇水パイプ１１、本体１上方の貯湯手段４に連絡されている。貯湯手段４の内部には、サイフォン現象により一定量の湯を間欠的に外部に供給するサイフォン手段６が設けられている。貯湯手段４から湯を外部に給湯する給湯口１２は、貯湯手段４の下に設けられており、給湯口１２の下方には、活性炭等で構成され、お湯の水質を良化する水質良化装置１３と、散湯装置１４及びコーヒー抽出室７が設けられている。
【００１７】
そして、コーヒー抽出室７で抽出されたコーヒー液は、下方に配された保管容器８に貯えられる。貯湯手段４は、分離可能な上部蓋５と下部容器１５により構成されており、上部蓋５の内面には微細な凹凸加工９及び親水処理が施されている。
【００１８】
以上のように構成されたコーヒー沸かし器について、以下その動作、作用を説明する。
【００１９】
水容器２に投入された水は、逆止弁１０を通過して、電気ヒーター等からなる加熱手段３に流入する。加熱手段３により加熱された水は沸騰して湯となり、その蒸気圧で加熱手段３から昇水パイプ１１を昇り、貯湯手段４に注がれる。貯湯手段４に、一定量の湯が溜まると、サイフォン手段６から給湯口１２に送られる。給湯口１２から出たお湯は、水質良化装置１３を通り、散湯装置１４によりコーヒー抽出室７に供給され、抽出されたコーヒー液が保管容器８に貯えられる。
【００２０】
抽出中に貯湯手段４に貯まった湯から発生する水蒸気や抽出終了時に加熱手段３から発生する水蒸気は、貯湯手段４の上部蓋５の内面に水滴となって貯まるが、上部蓋５の内面に施された凹凸加工９により水滴が破壊される。また、上部蓋５の内面には親水処理がされているので水滴がより付着しにくくなっている。
【００２１】
以上のように、本実施の形態によれば、貯湯手段４の上部蓋５の内面に施された凹凸加工９により水滴が破壊されるので、貯湯手段４に水滴が付着せず、見栄えの良い状態を保つ事ができる。また、上部蓋５の内面には親水処理がされているので水滴がより付着しにくく、より確実に見栄えの良い状態を保つ事ができる。
【００２２】
（実施の形態２）
図２は、本発明の第２の実施の形態におけるコーヒー沸かし器の上部蓋の断面図である。なお、上記第１の実施の形態と同一部分には、同一符号を付してその説明を省略し、相違点についてのみ説明する。
【００２３】
本実施の形態は、図２に示すように、貯湯手段４の上部蓋５の内面の天面から下方にかけて放射状に複数の溝１６を施したもので、放射状の溝１６により水滴が、貯湯手段４の下部容器１５に容易に流れ落ちるので、上部蓋５に水滴が付着せず、見栄えの良い状態を保つ事ができる。
【００２４】
（実施の形態３）
図３は、本発明の第３の実施の形態におけるコーヒー沸かし器の上部蓋の断面図である。なお、上記実施の形態と同一部分には、同一符号を付してその説明を省略し、相違点についてのみ説明する。
【００２５】
本実施の形態は、図３に示すように、貯湯手段４の上部蓋５の内面に錐状の凸部１７を施したもので、この錐状の凸部１７により、上部蓋５の内面に付着する水滴を壊して流すことで水滴の発生を抑え、貯湯手段４を見栄えの良い状態に保つ事ができる。
【００２６】
（実施の形態４）
図４は、本発明の第４の実施の形態におけるコーヒー沸かし器の上部蓋の断面図である。なお、上記実施の形態と同一部分には、同一符号を付してその説明を省略し、相違点についてのみ説明する。
【００２７】
本実施の形態では、図４に示すように、貯湯手段４の上部蓋５の内面にエンボス加工１８を施したもので、エンボス加工１８により、上部蓋５の内面に付着する水滴が残った場合でも分かりにくくなり、貯湯手段４の見栄えを悪くするのを防止する事ができる。
【産業上の利用可能性】
【００２８】
以上のように、本発明にかかるコーヒー沸かし器は、貯湯手段４の上部蓋５の内面への水滴の付着が防止され、見栄えが向上するもので、コーヒー沸かし器に限らず、蒸し調理器など、のぞき窓が付いた各種調理器、機器にも適用できる。
【図面の簡単な説明】
【００２９】
【図１】本発明の実施の形態１におけるコーヒー沸かし器の断面図
【図２】本発明の実施の形態２におけるコーヒー沸かし器の上部蓋の断面図
【図３】本発明の実施の形態３におけるコーヒー沸かし器の上部蓋の断面図
【図４】本発明の実施の形態４におけるコーヒー沸かし器の上部蓋の断面図
【図５】従来のコーヒー沸かし器の断面図
【符号の説明】
【００３０】
１  本体
２  水容器
３  加熱手段
４  貯湯手段
５  上部蓋
６  サイフォン手段
９  凹凸加工
１６  溝
１７  凸部
１８  エンボス加工
【図１】
2007307029.tif 000003
【図２】
2007307029.tif 000004
【図３】
2007307029.tif 000005
【図４】
2007307029.tif 000006
【図５】
2007307029.tif 000007